(57)【要約】【課題】本発明は、特殊再生時に所望の映像シーンを容易に探すことが可能であり、かつ汎用ディスクフォーマットに記録した放送番組について特殊再生することが可能な映像記録再生装置および映像記録再生方法を提供することを目的とする。【解決手段】本発明による映像記録再生装置は、予め定められた解像度以上である高解像度のデジタル放送番組を記録再生可能な映像記録再生装置１００であって、デジタル放送番組のＧＯＰ６０１ごとに静止画圧縮方式で符号化された少なくとも１つの代表画像７０１を生成する制御を行い、当該生成した代表画像７０１をＧＯＰ６０１におけるメタデータ情報を記録可能なＳＥＩ６３４に記録する制御を行う代表画像生成制御部１５１と、通常の再生速度とは異なる特殊再生時に当該特殊再生に応じた代表画像７０１を選択し、当該選択した代表画像７０１を表示する制御を行う特殊再生位置制御部１５２とを備える。【選択図】図１
2019212348.tif 000002
【特許請求の範囲】
【請求項１】
予め定められた解像度以上である高解像度のデジタル放送番組を記録再生可能な映像記録再生装置であって、
前記デジタル放送番組の符号化圧縮単位ごとに静止画圧縮方式で符号化された少なくとも１つの代表画像を生成する制御を行い、当該生成した代表画像を前記符号化圧縮単位におけるメタデータ情報を記録可能なユーザー独自領域に記録する制御を行う代表画像生成制御部と、
通常の再生速度とは異なる特殊再生時に当該特殊再生に応じた前記代表画像を選択し、当該選択した前記代表画像を表示する制御を行う特殊再生位置制御部と、
を備える、映像記録再生装置。
【請求項２】
前記代表画像生成制御部は、複数の前記代表画像を生成する制御を行い、当該複数の前記代表画像を前記ユーザー独自領域に記録する制御を行い、
前記特殊再生位置制御部は、前記特殊再生の速度が予め定められた速度よりも遅いときは前記高解像度の前記代表画像を選択し、前記特殊再生の速度が予め定められた速度以上のときは前記予め定められた解像度よりも低い低解像度の前記代表画像を選択することを特徴とする、請求項１に記載の映像記録再生装置。
【請求項３】
前記代表画像生成制御部は、前記代表画像において字幕が占める割合、または前記代表画像における字幕のフォントサイズを前記ユーザー独自領域に記録する制御を行い、
前記特殊再生位置制御部は、前記字幕が占める割合が予め定められた割合を超えるとき、または前記字幕のフォントサイズが予め定められたフォントサイズよりも小さいときは前記高解像度の前記代表画像を選択することを特徴とする、請求項１または２に記載の映像記録再生装置。
【請求項４】
前記代表画像を表示する表示装置の表示画像サイズおよび表示解像度を取得する表示装置情報取得部をさらに備え、
前記代表画像生成制御部は、複数の前記代表画像を生成する制御を行い、当該複数の前記代表画像を前記ユーザー独自領域に記録する制御を行い、
前記特殊再生位置制御部は、前記表示画像サイズが予め定められた表示画像サイズ以上、または前記表示解像度が予め定められた表示解像度以上であるときは前記高解像度の前記代表画像を選択し、前記表示画像サイズが前記予め定められた表示画像サイズよりも小さい、または前記表示解像度が前記予め定められた表示解像度よりも低いときは前記予め定められた解像度よりも低い低解像度の前記代表画像を選択することを特徴とする、請求項１に記載の映像記録再生装置。
【請求項５】
予め定められた解像度以上である高解像度のデジタル放送番組を記録再生可能な映像記録再生方法であって、
（ａ）前記デジタル放送番組の符号化圧縮単位ごとに静止画圧縮方式で符号化された少なくとも１つの代表画像を生成する制御を行い、当該生成した代表画像を前記符号化圧縮単位におけるメタデータ情報を記録可能なユーザー独自領域に記録する制御を行う工程と、
（ｂ）通常の再生速度とは異なる特殊再生時に当該特殊再生に応じた前記代表画像を選択し、当該選択した前記代表画像を表示する制御を行う工程と、
を備える、映像記録再生方法。
【請求項６】
前記工程（ａ）は、複数の前記代表画像を生成する制御を行い、当該複数の前記代表画像を前記ユーザー独自領域に記録する制御を行い、
前記工程（ｂ）は、前記特殊再生の速度が予め定められた速度よりも遅いときは前記高解像度の前記代表画像を選択し、前記特殊再生の速度が予め定められた速度以上のときは前記予め定められた解像度よりも低い低解像度の前記代表画像を選択することを特徴とする、請求項５に記載の映像記録再生方法。
【請求項７】
前記工程（ａ）は、前記代表画像において字幕が占める割合、または前記代表画像における字幕のフォントサイズを前記ユーザー独自領域に記録する制御を行い、
前記工程（ｂ）は、前記字幕が占める割合が予め定められた割合を超えるとき、または前記字幕のフォントサイズが予め定められたフォントサイズよりも小さいときは前記高解像度の前記代表画像を選択することを特徴とする、請求項５または６に記載の映像記録再生方法。
【請求項８】
（ｃ）前記代表画像を表示する表示装置の表示画像サイズおよび表示解像度を取得する工程をさらに備え、
前記工程（ａ）は、複数の前記代表画像を生成する制御を行い、当該複数の前記代表画像を前記ユーザー独自領域に記録する制御を行い、
前記工程（ｂ）は、前記表示画像サイズが予め定められた表示画像サイズ以上、または前記表示解像度が予め定められた表示解像度以上であるときは前記高解像度の前記代表画像を選択し、前記表示画像サイズが前記予め定められた表示画像サイズよりも小さい、または前記表示解像度が前記予め定められた表示解像度よりも低いときは前記予め定められた解像度よりも低い低解像度の前記代表画像を選択することを特徴とする、請求項５に記載の映像記録再生方法。
【発明の詳細な説明】
【技術分野】
【０００１】
本発明は、デジタル放送番組を記録および再生する映像記録再生装置および映像記録再生方法に関する。
【背景技術】
【０００２】
近年、現行のハイビジョン放送である２Ｋ放送と比較して、高い圧縮効率のＨＥＶＣ（High Efficiency Video Coding）で符号化された高解像度の４Ｋ放送または８Ｋ放送が実用化される予定である。このような高解像度の放送番組を記録する際に、高解像度記録ストリームおよび低解像度記録ストリームの両方を記録し、特殊再生時には低解像度記録ストリームを用いることによって、単位時間当たりに表示する画像の枚数を増やして滑らかな再生を行う記録再生装置が開示されている（例えば、特許文献１参照）。ここで、特殊再生とは、早送り、早戻し、およびスロー再生など、通常再生とは異なる再生のことをいう。通常再生は、１倍速再生ともいう。
【先行技術文献】
【特許文献】
【０００３】
【特許文献１】特開２００３−１２５３５３号公報
【発明の概要】
【発明が解決しようとする課題】
【０００４】
特許文献１に開示されている記録再生装置では、低速の特殊再生時は解像度が低いため、表示された字幕が読みにくくなる、または表示画像の精細感が損なわれて映像シーンが認識しづらくなるなどの問題がある。また、特許文献１に開示されている記録再生装置は、１つの放送番組に対して複数の記録ストリームを管理する独自のデータ方式を採用しているため、Ｂｌｕ−ｒａｙ  Ｄｉｓｃ（登録商標、以下同じ）規格のような汎用ディスクフォーマットに記録すると、当該記録した放送番組について特殊再生することができないなどの問題がある。
【０００５】
このように、従来では、特殊再生時に所望の映像シーンを容易に探すことに改善の余地があり、汎用ディスクフォーマットに記録した放送番組について特殊再生することができなかった。
【０００６】
本発明は、このような問題を解決するためになされたものであり、特殊再生時に所望の映像シーンを容易に探すことが可能であり、かつ汎用ディスクフォーマットに記録した放送番組について特殊再生することが可能な映像記録再生装置および映像記録再生方法を提供することを目的とする。
【課題を解決するための手段】
【０００７】
上記の課題を解決するために、本発明による映像記録再生装置は、予め定められた解像度以上である高解像度のデジタル放送番組を記録再生可能な映像記録再生装置であって、デジタル放送番組の符号化圧縮単位ごとに静止画圧縮方式で符号化された少なくとも１つの代表画像を生成する制御を行い、当該生成した代表画像を符号化圧縮単位におけるメタデータ情報を記録可能なユーザー独自領域に記録する制御を行う代表画像生成制御部と、通常の再生速度とは異なる特殊再生時に当該特殊再生に応じた代表画像を選択し、当該選択した代表画像を表示する制御を行う特殊再生位置制御部とを備える。
【０００８】
また、本発明による映像記録再生方法は、予め定められた解像度以上である高解像度のデジタル放送番組を記録再生可能な映像記録再生方法であって、（ａ）デジタル放送番組の符号化圧縮単位ごとに静止画圧縮方式で符号化された少なくとも１つの代表画像を生成する制御を行い、当該生成した代表画像を符号化圧縮単位におけるメタデータ情報を記録可能なユーザー独自領域に記録する制御を行う工程と、（ｂ）通常の再生速度とは異なる特殊再生時に当該特殊再生に応じた代表画像を選択し、当該選択した代表画像を表示する制御を行う工程とを備える。
【発明の効果】
【０００９】
本発明によると、映像記録再生装置は、予め定められた解像度以上である高解像度のデジタル放送番組を記録再生可能な映像記録再生装置であって、デジタル放送番組の符号化圧縮単位ごとに静止画圧縮方式で符号化された少なくとも１つの代表画像を生成する制御を行い、当該生成した代表画像を符号化圧縮単位におけるメタデータ情報を記録可能なユーザー独自領域に記録する制御を行う代表画像生成制御部と、通常の再生速度とは異なる特殊再生時に当該特殊再生に応じた代表画像を選択し、当該選択した代表画像を表示する制御を行う特殊再生位置制御部とを備えるため、特殊再生時に所望の映像シーンを容易に探すことが可能であり、かつ汎用ディスクフォーマットに記録した放送番組について特殊再生することが可能となる。
【００１０】
また、映像記録再生方法は、予め定められた解像度以上である高解像度のデジタル放送番組を記録再生可能な映像記録再生方法であって、（ａ）デジタル放送番組の符号化圧縮単位ごとに静止画圧縮方式で符号化された少なくとも１つの代表画像を生成する制御を行い、当該生成した代表画像を符号化圧縮単位におけるメタデータ情報を記録可能なユーザー独自領域に記録する制御を行う工程と、（ｂ）通常の再生速度とは異なる特殊再生時に当該特殊再生に応じた代表画像を選択し、当該選択した代表画像を表示する制御を行う工程とを備えるため、特殊再生時に所望の映像シーンを容易に探すことが可能であり、かつ汎用ディスクフォーマットに記録した放送番組について特殊再生することが可能となる。
【図面の簡単な説明】
【００１１】
【図１】本発明の実施の形態による映像記録再生装置の構成の一例を示すブロック図である。
【図２】本発明の実施の形態による放送番組の解像度を説明するための図である。
【図３】本発明の実施の形態による光ディスクの論理ファイル構造の一例を示す図である。
【図４】本発明の実施の形態によるストリーム情報ファイルの内部データ構造を説明するための図である。
【図５】本発明の実施の形態による再生制御情報ファイルの内部データ構造を説明するための図である。
【図６】本発明の実施の形態による映像ストリームのデータ構造を説明するための図である。
【図７】本発明の実施の形態によるＳＥＩの内部データ構造を説明するための図である。
【図８】本発明の実施の形態による特殊再生速度テーブルの内部データ構造を説明するための図である。
【図９】本発明の実施の形態による表示機能テーブルの内部データ構造を説明するための図である。
【図１０】本発明の実施の形態による映像記録再生装置の動作の一例を示すフローチャートである。
【図１１】本発明の実施の形態による映像記録再生装置の動作の一例を示すフローチャートである。
【発明を実施するための形態】
【００１２】
本発明の実施の形態について、図面に基づいて以下に説明する。
【００１３】
＜実施の形態＞
＜構成＞
本実施の形態による映像記録再生装置は、デジタル放送番組の放送ストリームを解析し、放送ストリームにおけるユーザー独自領域に符号化圧縮単位で１つ以上の代表画像を記録する。そして、特殊再生時には、特殊再生速度に応じた滑らかさと高精細さとを両立する代表画像を選択することによって、所望の映像シーンを探しやすくしている。また、映像記録再生装置に接続されている表示装置から取得した属性情報である表示可能フォーマットに基づいて、表示装置の性能範囲内で最適な解像度の代表画像を選択することによって、表示装置の性能以上の映像表示を無駄に実行することなく、映像記録再生装置の処理負荷を低減している。以下、詳細に説明する。
【００１４】
図１は、本実施の形態による映像記録再生装置１００の構成の一例を示すブロック図である。
【００１５】
図１に示すように、映像記録再生装置１００は、システム制御部１０１と、記録再生ドライブ部１０２と、チューナー部１０４と、ストリーム制御部１１０と、映像音声デコーダ部１１１と、静止画エンコーダ部１１２と、デジタルインターフェース部１１３と、メモリ部１２０とを備えている。システム制御部１０１は、代表画像生成制御部１５１と、特殊再生位置制御部１５２と、表示装置情報取得部１５３とを有し、操作部１３０に接続されている。デジタルインターフェース部１１３は、表示装置通信部１１５を有し、表示装置１１４に接続されている。
【００１６】
システム制御部１０１は、映像記録再生装置１００の全体を制御している。記録再生ドライブ部１０２は、光ディスク１０３に記録された情報の読み出しを行う。
【００１７】
光ディスク１０３は、後述する符号化された映像が多重化されたストリーム情報と、当該ストリーム情報の再生制御情報とが記録されている。再生制御情報は、光ディスク１０３に記録されているストリーム情報から分離した、符号化された映像ストリームに関する映像の属性情報、符号化された音声ストリームに関する音声の属性情報、およびストリーム情報のアクセス単位で再生開始時間情報と再生開始位置情報との対応関係を示す情報などを含んでいる。ここで、ストリーム情報のアクセス単位とは、符号化圧縮単位のことをいい、通常はＧＯＰ（Group of Picture）単位のことをいう。
【００１８】
なお、本実施の形態では、記録再生ドライブ部１０２は光ディスクドライブ読み取り装置として説明するが、記録再生ドライブ部１０２はハードディスクドライブ装置またはＳＤ（登録商標、以下同じ）メディアドライブ装置であってもよい。この場合、ハードディスクドライブまたはＳＤメディアにストリーム情報および再生制御情報が記憶されており、これらの情報を記録再生ドライブ部１０２が読み出す。
【００１９】
ここで、映像記録再生装置１００による録画処理について説明する。
【００２０】
映像記録再生装置１００が受信した放送波は、チューナー部１０４で例えばＭＰＥＧ−２トランスポートストリーム（以下、ＭＰＥＧ−２  ＴＳという）に復号される。チューナー部１０４で復号されたＭＰＥＧ−２  ＴＳは、ストリーム制御部１１０における図示しないメモリ領域に符号化圧縮単位で一旦保存される。
【００２１】
その後、ストリーム制御部１１０は、後述する代表画像生成制御部１５１からの指示に従って、ストリーム制御部１１０のメモリ領域から符号化圧縮単位で独立して復号可能なＩピクチャを抽出する。映像音声デコーダ部１１１は、ストリーム制御部１１０で抽出されたＩピクチャをＨＥＶＣで復号化する。静止画エンコーダ部１１２は、映像音声デコーダ部１１１で復号化されたＩピクチャをＪＰＥＧで符号化圧縮する。静止画エンコーダ部１１２で符号化圧縮されたＩピクチャは、代表画像に相当する。静止画エンコーダ部１１２で符号圧縮化されたＩピクチャ、すなわち代表画像は、ストリーム制御部１１０に送られる。
【００２２】
代表画像生成制御部１５１は、代表画像の解像度およびコーデック情報を制御情報としてストリーム制御部１１０に送る。代表画像の解像度は、代表画像の幅および高さのピクセル数を示している。また、代表画像生成制御部１５１は、映像音声デコーダ部１１１が復号化したＩピクチャにおける字幕情報の描画領域、字幕のフォントサイズ、Ｉピクチャの復号化予測時間の情報もストリーム制御部１１０に送る。
【００２３】
ストリーム制御部１１０は、当該ストリーム制御部１１０のメモリ領域に保存している映像音声ストリームにおけるユーザー独自領域であるＳＥＩ（Supplemental Enhancement Information）に代表画像を記録する。なお、静止画エンコーダ部１１２は、１つの代表画像に復号化してもよく、解像度が異なる複数の代表画像に復号化してもよい。例えば、映像記録再生装置１００が８Ｋ放送を録画する場合、静止画エンコーダ部１１２は、８Ｋ解像度の代表画像、４Ｋ解像度の代表画像、および２Ｋ解像度の代表画像といった３種類の代表画像に復号化してもよい。
【００２４】
その後、記録再生ドライブ部１０２は、ストリーム制御部１１０の指示に従って、光ディスク１０３に符号化圧縮単位ごとに映像音声ストリームを記録する。また、記録再生ドライブ部１０２は、システム制御部１０１の指示に従って、録画終了時に再生制御情報を光ディスク１０３に記録する。
【００２５】
なお、本実施の形態では、映像音声ストリームは、ＭＰＥＧ−２  ＴＳで多重化されているものとして説明するが、これに限るものではない。例えば、映像音声ストリームは、ＭＭＴ（MPEG Media Transport）で多重化されたものであってもよい。
【００２６】
次に、映像記録再生装置１００による通常再生処理について説明する。
【００２７】
上述の通り、通常再生とは、特殊再生ではない再生のことをいい、１倍速再生ともいう。
【００２８】
ＭＰＥＧ−２  ＴＳなどで符号化圧縮されて光ディスク１０３に記録されたストリーム情報を再生するとき、システム制御部１０１は、再生対象のストリーム情報に関連する再生制御情報を予め読み出してメモリ部１２０に記憶する。これにより、システム制御部１０１は、メモリ部１２０から再生制御情報を即座に読み出すことができる。システム制御部１０１は、メモリ部１２０から再生制御情報を読み出し、周辺デバイスに対して再生準備をするように指示する。
【００２９】
その後、記録再生ドライブ部１０２は、光ディスク１０３に記録されたストリーム情報を読み出してストリーム制御部１１０に送る。ストリーム制御部１１０は、受け取ったストリーム情報を映像音声デコーダ部１１１に送る。映像音声デコーダ部１１１は、ストリーム情報を逐次取り込んだ後、符号化圧縮された映像ストリームおよび音声ストリームを分離して取り出す。そして、映像音声デコーダ部１１１は、ＭＰＥＧ−２などで符号化された映像ストリームをデコード処理して映像信号に復号化し、ＡＣ−３などで符号化された音声ストリームをデコード処理して音声信号に復号化する。
【００３０】
復号化された映像信号および音声信号は、デジタルインターフェース部１１３に送られる。デジタルインターフェース部１１３は、映像信号および音声信号をＨＤＭＩ（High Definition Multimedia Interface（登録商標、以下同じ））に適合した信号に変換し、当該変換した映像信号および音声信号を表示装置１１４に送る。表示装置１１４は、送られてきた映像信号に基づいて映像を表示し、送られてきた音声信号に基づいて音声を出力する。
【００３１】
図１の説明に戻り、表示装置情報取得部１５３は、表示装置通信部１１５を介して、表示装置１１４から当該表示装置１１４の性能の情報を含む表示可能フォーマットを取得する。表示可能フォーマットは、表示装置１１４のＴＶサイズ、表示解像度、ＨＤＲ（High Dynamic Range）対応の有無、最大出力輝度レベル、推奨最大輝度レベル、製造者名、製造年、およびインターレース対応の可否を含む。ＴＶサイズは、表示装置１１４の表示画像サイズであり、表示装置１１４の表示画面のサイズに相当する。なお、表示装置１１４は、表示可能フォーマットをＥＤＩＤ（Extended Display Identification Data）として不揮発性メモリに記録しているものとする。
【００３２】
なお、本実施の形態では、ＨＤＭＩを用いて表示装置１１４の表示可能フォーマットを取得する場合について説明するが、これに限るものではない。例えば、ｉＬｉｎｋ（登録商標、以下同じ）または赤外線通信などを用いて表示装置１１４の表示可能フォーマットを取得してもよい。
【００３３】
図１では、デジタルインターフェース部１１３は、表示装置通信部１１５を有しているが、これに限るものではない。表示装置通信部１１５は、デジタルインターフェース部１１３とは別個に備えられてもよい。
【００３４】
デコーダブロック１１６は、映像音声ストリームの記録再生機能の総称である。デコーダブロック１１６は、システム制御部１０１からの指示に従って、ストリーム情報の記録または再生を行う。
【００３５】
操作部１３０は、映像記録再生装置１００に対するユーザーの要求を受け付ける。一般的に、操作部１３０は、映像記録再生装置１００のフロントパネルに配置されている操作パネルまたはリモコンなどである。システム制御部１０１は、操作部１３０を用いてユーザーが要求した内容を解釈し、当該解釈に基づいてデコーダブロック１１６を制御することによって、任意のストリーム情報を再生する。また、システム制御部１０１は、操作部１３０から、映像の再生開始、再生停止、一時停止、早送り、早戻し、スロー再生、またはスキップなどの指示を受ける。
【００３６】
上述の通り、特殊再生とは、早送り、早戻し、およびスロー再生など、通常再生とは異なる再生のことをいう。特殊再生は、通常再生速度を１倍速とすると、１倍速よりも速いまたは遅い速度で再生する。特殊再生では、映像音声ストリームにおいて符号化圧縮単位ごとに存在するＩピクチャを使用する。特殊再生速度に基づいてスキップした時間位置に存在するＩピクチャを復号化し、復号化したＩピクチャである映像フレームを表示する。その後、同様に予め定められた時間位置をスキップしてＩピクチャを順次復号化することによって特殊再生が行われる。なお、映像記録再生装置１００が１秒間に２枚のＩピクチャを復号化することが可能である場合、特殊再生速度が１０倍速であるとすると、上記の予め定められた時間は５秒単位となる。
【００３７】
代表画像生成制御部１５１は、符号化圧縮単位で映像ストリームのユーザー独自領域に代表画像を記録する制御を行う。特殊再生位置制御部１５２は、特殊再生時に記録された映像ストリームのユーザー独自領域に記録された代表画像を選択する。特殊再生位置制御部１５２が選択した復号化難度が低いＪＰＥＧなどの静止画を再生することによって、高解像度で復号化難度が高いＨＥＶＣのＩピクチャを復号化することなく、単位時間当たりの出画枚数を増やして滑らかな特殊再生を行うことができる。
【００３８】
なお、代表画像生成制御部１５１、特殊再生位置制御部１５２、および表示装置情報取得部１５３は、システム制御部１０１においてファームウェアなどで構成される例を示しているが、これに限るものではない。代表画像生成制御部１５１、特殊再生位置制御部１５２、および表示装置情報取得部１５３は、システム制御部１０１の外部に設けてもよく、これらの機能を有するハードウェアであってもよい。また、代表画像生成制御部１５１、特殊再生位置制御部１５２、および表示装置情報取得部１５３は、別個の機能ブロックとして図示されているが、これらの機能を統合してもよく、さらに細分化した機能ブロックであってもよい。
【００３９】
＜放送番組の解像度＞
図２は、放送番組の解像度を説明するための図である。
【００４０】
現行の放送は２Ｋ放送２０１と呼ばれ、横１９２０ピクセル×縦１０８０ピクセルの解像度を有する。近年、超高精細映像の放送番組が放送され始め、４Ｋ放送２０２および８Ｋ放送２０３の標準化が進められている。
【００４１】
４Ｋ放送２０２は、２Ｋ放送２０１の解像度の４倍である横３８４０ピクセル×横２１６０ピクセルの解像度を有する。８Ｋ放送２０３は、４Ｋ放送２０２の４倍である横７６８０ピクセル×縦４３２０ピクセルの解像度を有する。
【００４２】
また、４Ｋ放送２０２および８Ｋ放送２０３には、現行の２Ｋ放送２０１で採用されている符号化圧縮方式の約４倍の符号化圧縮効率であるＨＥＶＣが採用されている。ＨＥＶＣは符号化圧縮効率が高いため、復号化処理にかかるＣＰＵ（Central Processing Unit）負荷も高くなる。このように、８Ｋ放送２０３では現行の２Ｋ放送２０１よりも情報量が膨大になるため、映像記録再生装置１００による復号化の負荷が大きくなるという問題がある。
【００４３】
＜光ディスクの論理ファイル構造＞
図３は、光ディスク１０３の論理ファイル構造の一例を示す図である。
【００４４】
ルートディレクトリ３００は、論理的な階層構造を構成するファイル構造の最上位階層のディレクトリ構造である。ディスクディレクトリ３０１は、ルートディレクトリ３００の下位階層に配置されるディレクトリ構造である。ディスクディレクトリ３０１は、再生制御情報ファイル３１０とストリーム管理ディレクトリ３０２とで構成される。再生制御情報ファイル３１０は、光ディスク１０３に記録されているディスクコンテンツを管理する再生制御情報をファイル形式で記録している。ストリーム管理ディレクトリ３０２は、ストリーム情報ファイル３２０をまとめて記録したフォルダである。
【００４５】
ストリーム情報ファイル３２０は、５桁のファイル名で記録されているものとする。ストリーム情報ファイル３２０のファイル名は５桁の数字であればよく、連番である必要はない。図３では、ストリーム情報ファイル３２０は、個別のディレクトリ内に配置されている例を示しているが、これに限るものではない。例えば、ストリーム情報ファイル３２０は、ルートディレクトリ３００に直接配置してもよく、他のディレクトリに配置してもよい。また、図３では、ストリーム情報ファイル３２０は、ある管理単位ごとに個別のファイルに記録されている例を示しているが、１つのファイルにまとめて記録されてもよい。
【００４６】
＜ストリーム情報ファイルの内部データ構造＞
図４は、ストリーム情報ファイル３２０の内部データ構造を説明するための図である。
【００４７】
ストリーム情報ファイル３２０は、パケット４００と呼ばれる固定長のデータ単位の集まりで構成されている。映像データ、音声データ、およびストリーム管理データは、パケット４００単位に分割された後、多重化されてストリーム情報ファイル３２０を構成する。各パケット４００の先頭にはヘッダ情報４０１があり、ヘッダ情報４０１に記述されたＩＤ（Identification）４０２を用いてパケット４００内のデータを識別する。ストリーム制御部１１０は、ＩＤ４０２を識別して、パケット４００内のデータを映像データ、音声データ、およびストリーム管理データなどに分離する。
【００４８】
＜再生制御情報ファイルの内部データ構造＞
図５は、再生制御情報ファイル３１０の内部データ構造を説明するための図であり、再生制御情報ファイル３１０のシンタックスを示している。
【００４９】
光ディスク１０３に記録されている番組タイトルをプレイリストと呼ぶ。再生制御情報ファイル３１０には、プレイリストの総数を示す「ｎｕｍ＿ｏｆ＿ｐｌａｙｌｉｓｔ５０３」が記録されており、次のループ文であるｆｏｒ以下は「ｎｕｍ＿ｏｆ＿ｐｌａｙｌｉｓｔ５０３」の数だけ繰り返される。なお、プレイリストは、後述する複数のプレイアイテムから構成される。１つのプレイアイテムは複数の映像フレームから構成され、１枚の映像フレームは複数のピクセルから構成される。
【００５０】
上記の通り、プレイリストは、複数のプレイアイテムから構成される。再生制御情報ファイル３１０には、プレイアイテムの総数を示す「ｎｕｍ＿ｏｆ＿ｐｌａｙｉｔｅｍ５０８」が記録されており、次のループ文であるｆｏｒ以下は「ｎｕｍ＿ｏｆ＿ｐｌａｙｉｔｅｍ５０８」の数だけ繰り返される。プレイアイテムは、１つの再生区間情報が記録されており、再生対象のストリームファイル名５０９、再生開始時間５１０、および再生終了時間５１１から構成されている。映像記録再生装置１００は、再生区間情報に基づいて、ストリーム情報ファイル３２０のどの区間を再生すればよいのかを判断することができる。
【００５１】
また、再生制御情報ファイル３１０には、光ディスク１０３に記録されているストリーム情報ファイル３２０の総数を示す「ｎｕｍ＿ｏｆ＿ｓｔｒｅａｍ５１２」が記録されており、次のループ文であるｆｏｒ以下は「ｎｕｍ＿ｏｆ＿ｓｔｒｅａｍ５１２」の数だけ繰り返される。ストリーム情報ファイル名５１３は、ストリーム情報ファイル３２０の名前を示す５桁の数字情報である。属性情報管理テーブル５１４は、ストリーム情報ファイル３２０で使用される映像情報および音声情報などの属性情報を記録している。また、属性情報管理テーブル５１４は、映像ストリームを構成している映像情報、または音声ストリームを構成している音声情報ごとにパケットを識別するＩＤ４０２などを記録している。ストリーム制御部１１０は、ＩＤ４０２を用いて映像データ、音声データ、およびストリーム管理データなどを分離する。
【００５２】
アクセスポイント管理テーブル５１５は、アクセスポイントごとの映像音声ストリームを読み出す位置および再生開始時間を記録したリスト情報であり、当該リスト情報を用いてタイムサーチまたは特殊再生などのランダムアクセス再生を行うことができる。なお、例えば映像データがＭＰＥＧ−２ビデオストリームでエンコードされている場合、ＧＯＰの先頭がアクセスポイントに相当し、当該ＧＯＰごとに再生開始時間および再生開始アドレスの情報が記述されている。再生開始アドレスは、ストリームファイルの先頭を起算とした位置である。映像記録再生装置１００は、再生開始時間からストリーム情報ファイル３２０の再生開始アドレスを割り出してランダムアクセス再生を行う。
【００５３】
＜放送番組の映像ストリームのデータ構造＞
図６は、放送番組の映像ストリーム６００のデータ構造を説明するための図であり、ストリーム制御部１１０でデマルチプレクスすることによって生成される符号化圧縮された映像ストリーム６００のデータ構造を示している。
【００５４】
映像ストリーム６００は、符号化圧縮単位であるＧＯＰ６０１単位で圧縮されている。ＧＯＰ６０１は、フレーム内でデータ圧縮されたＩピクチャ６１０と、時間的に前方向のＩピクチャ６１０による動き補償を加えてデータ圧縮されたＰピクチャ６１１と、時間的に前後方向のＩピクチャ６１０またはＰピクチャ６１１による動き補償を加えてデータ圧縮されたＢピクチャ６１２とから構成されており、例えば０．５秒の再生時間ごとに符号化圧縮されている。
【００５５】
Ｉピクチャ６１０は、ＧＯＰ６０１の先頭に位置しており、参照関係がないため独立して復号可能であり、ＧＯＰ６０１の中で最初にデコードされる。また、Ｉピクチャ６１０は、表示時刻情報６２０、映像属性情報６３０、および符号化映像データ６４０から構成されている。
【００５６】
表示時刻情報６２０には、ＰＴＳ（Presentation Time Stamp）が付与されており、表示装置１１４への提示時間情報が記録されている。なお、表示時刻情報６２０は、映像および音声が同期可能な時刻情報であればよく、ＰＴＳではなくＮＴＰ（Network Time Protocol）で定義される時刻情報でもよい。
【００５７】
映像属性情報６３０は、ＡＵＤ（Access Unit Delimiter）６３１、ＳＰＳ（System Parameter Set）６３２、ＰＰＳ（Picture Parameter Set）６３３、およびＳＥＩ６３４から構成されている。
【００５８】
ＡＵＤ６３１は、映像のアクセスユニットの先頭を示す識別子情報を示しており、当該アクセスユニットに含まれるスライス６４１の種類を示す情報を記録している。ＳＰＳ６３２は、ＧＯＰ６０１全体の符号化に関わるプロファイル、レベル、解像度、フレームレート、およびビットレート上限値などの情報を記録している。ＰＰＳ６３３は、ピクチャ全体の符号化に関わる情報を含み、エントロピー符号化モードまたはピクチャ単位の量子化パラメータなどの情報を記録している。
【００５９】
ＳＥＩ６３４は、ＧＯＰ６０１のユーザー独自領域であり、映像記録再生装置１００が任意のメタデータ情報を記録することができる。本実施の形態では、後述するＧＯＰ６０１の特殊再生用の代表画像制御情報、および１つ以上の代表画像がメタデータ情報としてＳＥＩ６３４に記録されている。
【００６０】
符号化映像データ６４０は、１つ以上のスライス６４１から構成されている。符号化映像データ６４０を復号化すると画像情報となる。
【００６１】
Ｐピクチャ６１１およびＢピクチャ６１２は、ＳＰＳ６３２およびＳＥＩ６３４を含んでおらず、その他の構成はＩピクチャ６１０と同じである。
【００６２】
＜ＳＥＩの内部データ構造＞
図７は、ＳＥＩ６３４の内部データ構造を説明するための図である。
【００６３】
ＳＥＩ６３４は、代表画像制御情報７００と、１つ以上の代表画像７０１とから構成されている。本実施の形態では、代表画像７０１は、代表画像７０１ａ、代表画像７０１ｂ、および代表画像７０１ｃの３つあるものとする。なお、以下では、代表画像７０１ａ、代表画像７０１ｂ、および代表画像７０１ｃを総称して、単に代表画像７０１ともいう。
【００６４】
代表画像７０１ａは８Ｋの解像度を有し、代表画像７０１ｂは４Ｋの解像度を有し、代表画像７０１ｃは２Ｋの解像度を有している。代表画像７０１の解像度が高いと高精細であるが、復号処理に時間がかかるため単位時間当たりの出画枚数が減って滑らかに再生することができない。一方、代表画像７０１の街道度が低いと低解像度で映像シーンの視認性が悪くなるが、復号処理を高速に行うことができるため単位時間当たりの出画枚数が増えて滑らかに再生することができる。
【００６５】
代表画像制御情報７００は、Ｄａｔａ＿ｔｙｐｅ７２１、Ｍａｋｅｒ＿ＩＤ７２２、ｎｕｍ＿ｏｆ＿Ｐｉｃｔｕｒｅ７２３、および代表画像７０１ごとのピクチャ管理情報７２４から構成されている。
【００６６】
Ｄａｔａ＿ｔｙｐｅ７２１は、ＳＥＩ６３４に記録されたデータ種別を示している。本実施の形態では、Ｄａｔａ＿ｔｙｐｅ７２１には、特殊再生時の滑らかな再生を行うためのメタデータであることを示す識別子が記録されている。Ｍａｋｅｒ＿ＩＤ７２２には、ＳＥＩ６３４へのメタデータの書き込みを行った映像記録再生装置１００のメーカー識別子が記録されている。ｎｕｍ＿ｏｆ＿Ｐｉｃｔｕｒｅ７２３は、ピクチャ管理情報７２４の総数を示している。本実施の形態では３つの代表画像７０１が記録されているため、ｎｕｍ＿ｏｆ＿Ｐｉｃｔｕｒｅ７２３には「３」が記録されている。
【００６７】
ピクチャ管理情報７２４は、ｏｆｆｓｅｔ＿ｂｙｔｅ７３１、ｐｉｃ＿ｓｉｚｅ７３２、ｐｉｃ＿ｗｉｄｔｈ７３３、ｐｉｃ＿ｈｅｉｇｈｔ７３４、ｐｉｃ＿ｃｏｄｅｃ７３５、ｓｕｂｔｉｔｌｅ＿ｒａｔｅ７３６、ｓｕｂｔｉｔｌｅ＿ｆｒｏｎｔｓｉｚｅ７３７、ｔｉｍｅ＿ｏｆ＿ｐｒｏｃ７３８から構成されている。
【００６８】
ｏｆｆｓｅｔ＿ｂｙｔｅ７３１は、代表画像７０１の先頭アドレス位置を示している。ｏｆｆｓｅｔ＿ｂｙｔｅ７３１には、ＳＥＩ６３４の先頭バイトから起算した相対アドレスを示すオフセットバイトが記録されている。ｐｉｃ＿ｓｉｚｅ７３２には、代表画像７０１のサイズを示すバイト数が記録されている。
【００６９】
ｐｉｃ＿ｗｉｄｔｈ７３３およびｐｉｃ＿ｈｅｉｇｈｔ７３４は、代表画像７０１の解像度を示す情報である。ｐｉｃ＿ｗｉｄｔｈ７３３には代表画像７０１の幅のピクセル数が記録され、ｐｉｃ＿ｈｅｉｇｈｔ７３４には代表画像７０１の高さのピクセル数が記録されている。ｐｉｃ＿ｃｏｄｅｃ７３５は、代表画像７０１の静止画圧縮方式を示している。ｐｉｃ＿ｃｏｄｅｃ７３５には、ＪＰＥＧ、ＪＰＥＧ２０００、またはビットマップなどのコーデック種別を示す識別子が記録されている。
【００７０】
ｓｕｂｔｉｔｌｅ＿ｒａｔｅ７３６は、代表画像７０１において字幕が占める面積、すなわち代表画像７０１において字幕が占める割合を示している。例えば、ｓｕｂｔｉｔｌｅ＿ｒａｔｅ７３６に「２０」が記録されている場合、これは代表画像７０１の２０パーセントが字幕であることを示している。
【００７１】
ｓｕｂｔｉｔｌｅ＿ｆｒｏｎｔｓｉｚｅ７３７には、代表画像７０１において表示される字幕のうちで最も使用されている字幕のフォントサイズが記録されている。ｓｕｂｔｉｔｌｅ＿ｆｒｏｎｔｓｉｚｅ７３７の記録されている字幕のフォントサイズを参照することによって、表示画面に対して字幕がどの程度の大きさであるのかを識別することができる。なお、本実施の形態では、ｓｕｂｔｉｔｌｅ＿ｆｒｏｎｔｓｉｚｅ７３７には、最も使用されているフォントサイズが記録されているものとして説明するが、これに限るものではない。ｓｕｂｔｉｔｌｅ＿ｆｒｏｎｔｓｉｚｅ７３７には、例えば、代表画像７０１において表示される字幕のうちで最も小さな字幕のフォントサイズを記録してもよい。
【００７２】
ｔｉｍｅ＿ｏｆ＿ｐｒｏｃ７３８は、代表画像７０１の復号処理に要する目安時間を示している。代表画像７０１の解像度が高く高効率の符号化圧縮方式を採用している場合、ｔｉｍｅ＿ｏｆ＿ｐｒｏｃ７３８には高い値のパラメータが記録される。
【００７３】
＜特殊再生速度テーブルの内部データ構造＞
図８は、特殊再生速度テーブル８００の内部データ構造を説明するための図である。特殊再生速度テーブル８００は、特殊再生速度および字幕割合に基づいて特殊再生時の代表画像７０１を選択する際に用いられる。特殊再生速度テーブル８００は、特殊再生速度エントリー８０１および字幕割合区分８０２で構成されている。本実施の形態では、特殊再生速度エントリー８０１は４段階、字幕割合区分８０２は２０％を閾値としている。なお、特殊再生速度テーブル８００は、例えばメモリ部１２０に記憶されている。
【００７４】
特殊再生速度エントリー８０１は、特殊再生速度をＳ＿ｔｐとすると、「Ｓ＿ｔｐ＜×１．０倍速（スロー再生）」、「×１．０＜Ｓ＿ｔｐ≦×５．０（早送り／早戻し：低速）」、「×５．０＜Ｓ＿ｔｐ≦×１５．０（早送り／早戻し：中速）」、および「×１５．０＜Ｓ＿ｔｐ（早送り／早戻し：高速）」の４段階に区分けされている。
【００７５】
特殊再生速度エントリー８０１は、特殊再生速度が遅いほど、記録した番組中の所望の映像シーンを探しやすくするように、高精細かつ高解像度の代表画像７０１が提示されるような設定値を保持している。一方、特殊再生速度エントリー８０１は、特殊再生速度が速いほど、出画までの時間を短くすることができる低解像度の代表画像７０１が提示されるような設定値を保持している。
【００７６】
高速の特殊再生では、画面細部の視認性が悪くなっても、単位時間当たりの出画枚数が多い方が、おおまかな映像シーンを探しやすい。特に、符号化圧縮された映像を特殊再生するときは、単位時間当たりの出画枚数が少ないため、特殊再生時に出画する映像をスキップする間隔が少ない方が任意の映像シーンが探しやすい。一方、低速の特殊再生では、画面細部の情報を確認しながら、ピンポイントで所望の映像シーンを探すことができる。
【００７７】
字幕割合区分８０２は、画面面積の２０％を判定閾値として、字幕の描画領域が画面面積の２０％よりも大きいか否かを区別している。字幕は所望の映像シーンを探す際に有益な情報である。従って、特殊再生速度テーブル８００は、特殊再生速度が遅い場合はより高解像度の代表画像７０１を選択するように構成されている。
【００７８】
なお、本実施の形態では、特殊再生速度および字幕割合に基づいて特殊再生時の代表画像７０１を選択しているが、これに限るものではない。例えば、特殊再生速度のみ、または字幕割合のみに基づいて特殊再生時の代表画像７０１を選択してもよい。
【００７９】
本実施の形態では、特殊再生速度エントリー８０１が４段階である場合について説明したが、４段階よりも多くてもよく、４段階よりも少なくてもよい。
【００８０】
本実施の形態では、字幕割合区分８０２の判定閾値を２０％としているが、当該判定閾値を変更してもよい。また、字幕割合区分８０２の判定閾値は、画面面積に対する字幕の描画領域の割合に限らず、例えば画面に表示される字幕のフォントサイズであってもよい。この場合、字幕のフォントサイズが予め定められたフォントサイズによりも小さいときは高解像度の代表画像７０１が選択されるようにしてもよい。
【００８１】
＜表示機能テーブルの内部データ構造＞
図９は、表示機能テーブル９００の内部データ構造を説明するための図である。表示機能テーブル９００は、ＴＶサイズおよび表示解像度に基づいて特殊再生時の代表画像７０１を選択する際に用いられる。すなわち、表示装置１１４の性能に合わせて、必要以上に高い解像度の代表画像７０１を選択することを防ぎ、映像記録再生装置１００の処理負荷を無駄に上げないように配慮している。表示機能テーブル９００は、ＴＶサイズエントリー９０１および解像度区分９０２で構成されている。本実施の形態では、ＴＶサイズエントリー９０１は３段階、解像度区分９０２は３段階としている。なお、表示機能テーブル９００は、例えばメモリ部１２０に記憶されている。
【００８２】
ＴＶサイズエントリー９０１は、「３０インチ以下（小型）」、「３０インチから５０インチまで（中型）」、および「５０インチ以上（大型）」の３つに区分けされている。解像度区分９０２は、「２Ｋの低解像度」、「４Ｋの中解像度」、および「８Ｋの高解像度」の３つに区分けされている。
【００８３】
表示機能テーブル９００は、ＴＶサイズが小さいほど、または表示装置１１４の表示解像度が低いほど、低解像度の代表画像７０１を多く出画するように構成されている。一方、ＴＶサイズが大きい、または表示装置１１４の表示解像度が高い場合は、低解像度の代表画像７０１を表示して所望の映像シーンを探しにくくすることを防いでいる。
【００８４】
なお、本実施の形態では、ＴＶサイズおよび表示解像度に基づいて特殊再生時の代表画像７０１を選択しているが、これに限るものではない。例えば、ＴＶサイズのみ、または表示解像度のみに基づいて特殊再生時の代表画像７０１を選択してもよい。
【００８５】
本実施の形態では、ＴＶサイズエントリー９０１および解像度区分９０２のそれぞれが３段階である場合について説明したが、３段階よりも多くてもよく、３段階よりも少なくてもよい。
【００８６】
＜実施例１＞
図１０は、映像記録再生装置１００の動作の一例を示すフローチャートであり、特殊再生時の動作を示している。以下では、図８に示す特殊再生速度テーブル８００を用いて代表画像を選択する場合について説明する。
【００８７】
ステップＳ１０１において、システム制御部１０１は、録画番組の再生が特殊再生であるか否かを判断する。特殊再生でなく通常再生である場合は、図１０に示す処理を終了する。一方、特殊再生である場合は、ステップＳ１０２に移行する。
【００８８】
ステップＳ１０２において、システム制御部１０１は、特殊再生が終了したか否かを判断する。特殊再生が終了した場合は、図１０に示す処理を終了する。一方、特殊再生が終了していない場合は、ステップＳ１０３に移行する。
【００８９】
ステップＳ１０３において、特殊再生位置制御部１５２は、特殊再生速度Ｓ＿ｔｐを操作部１３０から取得する。
【００９０】
ステップＳ１０４において、特殊再生位置制御部１５２は、再生制御情報ファイル３１０のアクセスポイント管理テーブル５１５を参照して次に再生すべきＧＯＰ６０１を特定し、特定したＧＯＰ６０１の先頭位置にシークする。
【００９１】
ステップＳ１０５において、特殊再生位置制御部１５２は、ＧＯＰ６０１の先頭に記録されている映像属性情報６３０からＳＥＩ６３４を読み出す。そして、特殊再生位置制御部１５２は、ＳＥＩ６３４の代表画像制御情報７００から代表画像７０１を読み出す。本実施の形態では、８Ｋの代表画像７０１ａ、４Ｋの代表画像７０１ｂ、および２Ｋの代表画像７０１ｃを読み出す。
【００９２】
ステップＳ１０６において、特殊再生位置制御部１５２は、特殊再生速度Ｓ＿ｔｐが１．０倍速よりも遅いか否かを判断する。特殊再生速度Ｓ＿ｔｐが１．０倍速よりも遅い場合は、ステップＳ１０７に移行する。一方、特殊再生速度Ｓ＿ｔｐが１．０倍速よりも遅くない場合は、ステップＳ１０８に移行する。
【００９３】
ステップＳ１０８において、特殊再生位置制御部１５２は、特殊再生速度Ｓ＿ｔｐが「×１．０＜Ｓ＿ｔｐ≦×５．０」であるか否か、すなわち低速の早送りまたは早戻しであるか否かを判断する。低速の早送りまたは早戻しである場合は、ステップＳ１０９に移行する。一方、低速の早送りまたは早戻しでない場合は、ステップＳ１１１に移行する。
【００９４】
ステップＳ１０９において、特殊再生位置制御部１５２は、字幕割合が２０％を超えるか否かを判断する。字幕割合が２０％を超える場合は、ステップＳ１０７に移行する。一方、字幕割合が２０％を超えない場合は、ステップＳ１１０に移行する。
【００９５】
ステップＳ１０６で特殊再生速度Ｓ＿ｔｐが１．０倍速よりも遅いと判断された場合、およびステップＳ１０９で字幕割合が２０％を超えると判断された場合、ステップＳ１０７において、特殊再生位置制御部１５２は、高解像度である８Ｋの代表画像７０１ａを選択し、代表画像７０１ａを表示装置１１４に表示するようにデコーダブロック１１６を制御する。これにより、表示装置１１４では、特殊再生時に代表画像７０１ａが表示される。
【００９６】
ステップＳ１１１において、特殊再生位置制御部１５２は、特殊再生速度Ｓ＿ｔｐが「×５．０＜Ｓ＿ｔｐ≦×１５．０」であるか否か、すなわち中速の早送りまたは早戻しであるか否かを判断する。中速の早送りまたは早戻しである場合は、ステップＳ１１２に移行する。一方、中速の早送りまたは早戻しでない場合は、ステップＳ１１３に移行する。
【００９７】
ステップＳ１１２において、特殊再生位置制御部１５２は、字幕割合が２０％を超えるか否かを判断する。字幕割合が２０％を超える場合は、ステップＳ１１０に移行する。一方、字幕割合が２０％を超えない場合は、ステップＳ１１３に移行する。
【００９８】
ステップＳ１０９で字幕割合が２０％を超えないと判断された場合、またはステップＳ１１２で字幕割合が２０％を超えると判断された場合、ステップＳ１１０において、特殊再生位置制御部１５２は、中解像度である４Ｋの代表画像７０１ｂを選択し、代表画像７０１ｂを表示装置１１４に表示するようにデコーダブロック１１６を制御する。これにより、表示装置１１４では、特殊再生時に代表画像７０１ｂが表示される。
【００９９】
ステップＳ１１１で中速の早送りまたは早戻しでないと判断された場合、またはステップＳ１１２で字幕割合が２０％を超えないと判断された場合、ステップＳ１１３において、特殊再生位置制御部１５２は、低解像度である２Ｋの代表画像７０１ｃを選択し、代表画像７０１ｃを表示装置１１４に表示するようにデコーダブロック１１６を制御する。これにより、表示装置１１４では、特殊再生時に代表画像７０１ｃが表示される。
【０１００】
ステップＳ１１４において、特殊再生位置制御部１５２は、次のＧＯＰ６０１を読み込み、ステップＳ１０２に戻る。
【０１０１】
上記より、映像記録再生装置１００は、高解像度の放送番組の特殊再生時には、特殊再生速度に応じて滑らかさと高精細さとを両立した代表画像７０１を選択して表示する。従って、所望の映像シーンを探しやすくすることができる。また、映像ストリーム６００のＩピクチャ６１０を構成するユーザー独自領域であるＳＥＩ６３４に代表画像７０１を記録しているため、汎用のディスクフォーマットと互換性の高いデータフォーマットで記録することができる。
【０１０２】
＜実施例２＞
図１１は、映像記録再生装置１００の動作の一例を示すフローチャートであり、特殊再生時の動作を示している。以下では、図９に示す表示機能テーブル９００を用いて代表画像を選択する場合について説明する。
【０１０３】
ステップＳ２０１において、システム制御部１０１は、録画番組の再生が特殊再生であるか否かを判断する。特殊再生でなく通常再生である場合は、図１１に示す処理を終了する。一方、特殊再生である場合は、ステップＳ２０２に移行する。
【０１０４】
ステップＳ２０２において、システム制御部１０１は、特殊再生が終了したか否かを判断する。特殊再生が終了した場合は、図１１に示す処理を終了する。一方、特殊再生が終了していない場合は、ステップＳ２０３に移行する。
【０１０５】
ステップＳ２０３において、特殊再生位置制御部１５２は、再生制御情報ファイル３１０のアクセスポイント管理テーブル５１５を参照して次に再生すべきＧＯＰ６０１を特定し、特定したＧＯＰ６０１の先頭位置にシークする。
【０１０６】
ステップＳ２０４において、特殊再生位置制御部１５２は、ＧＯＰ６０１の先頭に記録されている映像属性情報６３０からＳＥＩ６３４を読み出す。そして、特殊再生位置制御部１５２は、ＳＥＩ６３４の代表画像制御情報７００から代表画像７０１を読み出す。本実施の形態では、８Ｋの代表画像７０１ａ、４Ｋの代表画像７０１ｂ、および２Ｋの代表画像７０１ｃを読み出す。
【０１０７】
ステップＳ２０５において、特殊再生位置制御部１５２は、表示装置情報取得部１５３が取得した表示装置情報に基づいて、表示装置１１４の表示解像度が８Ｋの解像度であるか否かを判断する。表示装置１１４の表示解像度が８Ｋの解像度である場合は、ステップＳ２０６に移行する。一方、表示装置１１４の表示解像度が８Ｋの解像度でない場合は、ステップＳ２０８に移行する。
【０１０８】
ステップＳ２０６において、特殊再生位置制御部１５２は、表示装置情報取得部１５３が取得した表示装置情報に基づいて、表示装置１１４のＴＶサイズが３０インチ以上であるか否かを判断する。表示装置１１４のＴＶサイズが３０インチ以上である場合は、ステップＳ２０７に移行する。一方、表示装置１１４のＴＶサイズが３０インチ以上でない場合は、ステップＳ２１０に移行する。
【０１０９】
ステップＳ２０７において、特殊再生位置制御部１５２は、高解像度である８Ｋの代表画像７０１ａを選択し、代表画像７０１ａを表示装置１１４に表示するようにデコーダブロック１１６を制御する。これにより、表示装置１１４では、特殊再生時に代表画像７０１ａが表示される。
【０１１０】
ステップＳ２０８において、特殊再生位置制御部１５２は、表示装置情報取得部１５３が取得した表示装置情報に基づいて、表示装置１１４の表示解像度が４Ｋの解像度であるか否かを判断する。表示装置１１４の表示解像度が４Ｋの解像度である場合は、ステップＳ２０９に移行する。一方、表示装置１１４の表示解像度が４Ｋの解像度でない場合は、ステップＳ２１１に移行する。
【０１１１】
ステップＳ２０９において、特殊再生位置制御部１５２は、表示装置情報取得部１５３が取得した表示装置情報に基づいて、表示装置１１４のＴＶサイズが３０インチ以上であるか否かを判断する。表示装置１１４のＴＶサイズが３０インチ以上である場合は、ステップＳ２１０に移行する。一方、表示装置１１４のＴＶサイズが３０インチ以上でない場合は、ステップＳ２１１に移行する。
【０１１２】
ステップＳ２０６で表示装置１１４のＴＶサイズが３０インチ以上でないと判断された場合、またはステップＳ２０９で表示装置１１４のＴＶサイズが３０インチ以上であると判断された場合、ステップＳ２１０において、特殊再生位置制御部１５２は、中解像度である４Ｋの代表画像７０１ｂを選択し、代表画像７０１ｂを表示装置１１４に表示するようにデコーダブロック１１６を制御する。これにより、表示装置１１４では、特殊再生時に代表画像７０１ｂが表示される。
【０１１３】
ステップＳ２０８で表示装置１１４の表示解像度が４Ｋの解像度でないと判断された場合、またはステップＳ２０９で表示装置１１４のＴＶサイズが３０インチ以上でないと判断された場合、ステップＳ２１１において、特殊再生位置制御部１５２は、低解像度である２Ｋの代表画像７０１ｃを選択し、代表画像７０１ｃを表示装置１１４に表示するようにデコーダブロック１１６を制御する。これにより、表示装置１１４では、特殊再生時に代表画像７０１ｃが表示される。
【０１１４】
ステップＳ２１２において、特殊再生位置制御部１５２は、次のＧＯＰ６０１を読み込み、ステップＳ２０２に戻る。
【０１１５】
上記より、映像記録再生装置１００は、表示装置１１４の表示可能フォーマットに基づいて、表示装置１１４の性能範囲内で最適な解像度の代表画像７０１を選択して表示する。従って、表示装置１１４の性能以上の解像度の映像を表示することなく、映像記録再生装置１００の処理負荷を低減することができる。
【０１１６】
なお、図１１において、図１０に示すような特殊再生速度および字幕の割合をさらに採用して代表画像７０１の選択を行ってもよい。
【０１１７】
なお、本発明は、その発明の範囲内において、実施の形態を適宜、変形、省略することが可能である。
【符号の説明】
【０１１８】
１００  映像記録再生装置、１０１  システム制御部、１０２  記録再生ドライブ部、１０３  光ディスク、１０４  チューナー部、１１０  ストリーム制御部、１１１  映像音声デコーダ部、１１２  静止画エンコーダ部、１１３  デジタルインターフェース部、１１４  表示装置、１１５  表示装置通信部、１１６  デコーダブロック、１２０  メモリ部、１３０  操作部、１５１  代表画像生成制御部、１５２  特殊再生位置制御部、１５３  表示装置情報取得部、２０１  ２Ｋ放送、２０２  ４Ｋ放送、２０３  ８Ｋ放送、３００  ルートディレクトリ、３０１  ディスクディレクトリ、３０２  ストリーム管理ディレクトリ、３１０  再生制御情報ファイル、３２０  ストリーム情報ファイル、４００  パケット、４０１  ヘッダ情報、４０２  ＩＤ、５０３  ｎｕｍ＿ｏｆ＿ｐｌａｙｌｉｓｔ、５０８  ｎｕｍ＿ｏｆ＿ｐｌａｙｉｔｅｍ、５０９  ストリームファイル名、５１０  開始時間、５１１  終了時間、５１２  ｎｕｍ＿ｏｆ＿ｓｔｒｅａｍ、５１３  ストリーム情報ファイル名、５１４  属性情報管理テーブル、５１５  アクセスポイント管理テーブル、６００  映像ストリーム、６０１  ＧＯＰ、６１０  Ｉピクチャ、６１１  Ｐピクチャ、６１２  Ｂピクチャ、６２０  表示時刻情報、６３０  映像属性情報、６３１  ＡＵＤ、６３２  ＳＰＳ、６３３  ＰＰＳ、６３４  ＳＥＩ、６４０  符号化映像データ、６４１  スライス、７００  代表画像制御情報、７０１  代表画像、７２１  Ｄａｔａ＿ｔｙｐｅ、７２２  Ｍａｋｅｒ＿ＩＤ、７２３  ｎｕｍ＿ｏｆ＿Ｐｉｃｔｕｒｅ、７２４  ピクチャ管理情報、７３１  ｏｆｆｓｅｔ＿ｂｙｔｅ、７３２  ｐｉｃ＿ｓｉｚｅ、７３３  ｐｉｃ＿ｗｉｄｔｈ、７３４  ｐｉｃ＿ｈｅｉｇｈｔ、７３５  ｐｉｃ＿ｃｏｄｅｃ、７３６  ｓｕｂｔｉｔｌｅ＿ｒａｔｅ、７３７  ｓｕｂｔｉｔｌｅ＿ｆｏｎｔｓｉｚｅ、７３８  ｔｉｍｅ＿ｏｆ＿ｐｒｏｃ、８００  特殊再生速度テーブル、８０１  特殊再生速度エントリー、８０２  字幕割合区分、９００  表示機能テーブル、９０１  ＴＶサイズエントリー、９０２  解像度区分。
【図１】
2019212348.tif 000003
【図２】
2019212348.tif 000004
【図３】
2019212348.tif 000005
【図４】
2019212348.tif 000006
【図５】
2019212348.tif 000007
【図６】
2019212348.tif 000008
【図７】
2019212348.tif 000009
【図８】
2019212348.tif 000010
【図９】
2019212348.tif 000011
【図１０】
2019212348.tif 000012
【図１１】
2019212348.tif 000013